(57)【要約】【課題】弱電入力時におけるカラーバースト信号の検出効率を向上させ、弱電入力時であっても実際にカラーバースト信号の存在を確認した上でカラー表示させる【解決手段】入力された映像信号の信号強度が所定のしきい値を超えると通常電界と判断すると共に、所定のしきい値以下であると弱電界と判定する電界強度判定部Ｍ１と、電界強度判定手段が通常電界と判断すると水平同期信号の後半部分からパルスを開始してカラーバースト信号の標準位置を包含するパルス幅となる第一バーストゲートパルスを発生すると共に、電界強度判定手段が弱電界と判断すると標準位置を包含しつつ第一バーストゲートパルスよりも幅狭となる第二バーストゲートパルスを発生し、第一バーストゲートパルス若しくは第二バーストゲートパルスの範囲内にカラーバースト信号が検出されたか否かを判定するバーストゲート手段と、を備えさせる。【選択図】図１
2008294629.tif 000002
【特許請求の範囲】
【請求項１】
入力された映像信号におけるカラーバースト信号の有無を検出し、カラーバースト信号が検出された場合は入力された映像信号がカラー映像信号であると判定する一方、カラーバースト信号が検出されない場合は入力された映像信号を白黒映像信号であると判定するテレビ受信機において、
入力された映像信号の信号強度が所定のしきい値を超えると通常電界と判断すると共に、所定のしきい値以下であると弱電界と判定する電界強度判定手段と、
前記電界強度判定手段が通常電界と判断すると水平同期信号の後半部分からパルスを開始してカラーバースト信号の標準位置を包含するパルス幅となる第一バーストゲートパルスを発生すると共に、前記電界強度判定手段が弱電界と判断すると前記標準位置を包含しつつ前記第一バーストゲートパルスよりも幅狭となる第二バーストゲートパルスを発生し、前記第一バーストゲートパルス若しくは前記第二バーストゲートパルスの範囲内にカラーバースト信号が検出されたか否かを判定するバーストゲート手段と、
を備えることを特徴とするテレビ受信機。
【請求項２】
本テレビ受信機の電源投入直後においては、前記バーストゲート手段は、前記電界強度判定手段にて通常電界と判定されたものとしてバーストゲートパルスを発生してカラーバースト信号の検出を行う請求項１に記載のテレビ受信機。
【請求項３】
前記第一バーストゲートパルスの設定値が記憶される第一レジスタと、前記第二バーストゲートパルスの設定値が記憶される第二レジスタと、を備えており、
前記バーストゲート手段は、前記第一レジスタと前記第二レジスタとの何れか一方から設定値を取得してバーストゲートパルスを発生する請求項１または請求項２に記載のテレビ受信機。
【請求項４】
前記電界強度判定手段が弱電界と判断したときに発生されるバーストゲートパルスは、水平同期信号の開始からＢＧＰ終了までの時間が７．５５９〜８．５００マイクロ秒であるとともに、水平同期信号の開始からＢＧＰ開始までの時間が４．５００〜４．５９６マイクロ秒である請求項１〜請求項３の何れか一項に記載のテレビ受信機。
【請求項５】
中間周波信号の自動利得調整を行うＡＧＣ回路を備え、
前記電界強度判定手段が、前記ＡＧＣ回路の出力するＩＦ−ＡＧＣ電圧に基づいて電界強度を判定する請求項１〜請求項４の何れか一項に記載のテレビ受信機。
【請求項６】
前記映像信号が入力されるマイコンを備え、
前記マイコンが、バーストゲートパルスを発生し、バーストゲートパルス内にカラーバースト信号が検出されるか否かを判定する請求項１〜請求項５の何れか一項に記載のテレビ受信機。
【請求項７】
アンテナを介して入力された映像信号から所定のチャンネルに対応する搬送周波数を選局して中間周波信号に変換して出力するチューナと、ＩＦ−ＡＧＣ電圧に対応する増幅率で中間周波信号を必要な大きさに増幅して出力する中間周波増幅回路と、前記中間周波増幅回路の出力する中間周波信号から復号映像信号を取り出して出力する映像検波回路と、前記映像検波回路から複合映像信号を取得して該復号映像信号の同期信号の大きさに応じたＩＦ−ＡＧＣ電圧を生成するＡＧＣ回路と、前記映像検波回路の出力した複合映像信号をさらに増幅するとともにＹ／Ｃ分離を行って輝度信号と搬送色信号を出力し且つ同期分離を行ってと同期信号を出力する映像信号処理回路と、カラーバースト信号の入力があれば該カラーバースト信号の周波数を利用して前記搬送色信号を色差信号に復調して出力する色復調回路と、前記輝度信号と前記色差信号とに基づいてマトリクス変換処理を行なって画像データとしてのＲＧＢ信号を生成するマトリクス回路と、前記ＲＧＢ信号に基づいて液晶モジュールを駆動して画像を表示させる液晶ドライバ回路と、前記チューナと前記中間周波増幅回路と前記映像検波回路と前記ＡＧＣ回路と前記映像信号処理回路と前記色復調回路と前記マトリクス回路と前記液晶ドライバ回路とを制御するマイコンとを備えたテレビ受信機において、
水平同期信号の後半部分から開始してカラーバースト信号の標準位置を包含するパルス幅のバーストゲートパルスの設定値が記憶された第一レジスタと、
前記第一レジスタに記憶された設定値のパルス幅よりも狭く、水平同期信号の開始からＢＧＰ終了までの時間が７．５５９〜８．５００マイクロ秒であるとともに、水平同期信号の開始からＢＧＰ開始までの時間が４．５００〜４．５９６マイクロ秒であるバーストゲートパルスの設定値が記憶された第二レジスタと、
を備え、
前記マイコンは、
前記映像検波回路から復号映像信号が入力されると共に前記ＡＧＣ回路からＩＦ−ＡＧＣ電圧が入力され且つ、色副搬送波の周波数を発振しており、
前記ＩＦ−ＡＧＣ電圧に基づいて、アンテナに入力されている放送電波の電界強度を判定し、
前記電界強度が所定のしきい値より電圧が高い場合は通常電界と判定して前記第一レジスタから通常電界強度に対応するバーストゲートパルスの設定値を取得する一方、前記電界強度が所定のしきい値よりも電圧が低い場合は弱電界と判定して前記第二レジスタから弱電界強度に対応するバーストゲートパルスの設定値を取得し、
取得した設定値に基づいてバーストゲートパルスを発生し、映像検波出力のバーストゲートパルスの範囲内に収まる部位に対し、前記色副搬送波の周波数と同期する周波信号を所定周期以上連続して含むか否かの同期検波を行い、バーストゲートパルスの範囲内にカラーバースト信号が存在するか否かの判定を行い、同期検波された場合は前記色復調回路に検出されたカラーバースト信号を出力する一方、同期検波されない場合は色復調回路にカラーバースト信号の出力を行わないことを特徴とするテレビ受信機。
【発明の詳細な説明】
【技術分野】
【０００１】
本発明は、テレビ受信機に関し、特に、カラーバースト信号の有無を検出してカラーと白黒とを切り換えるテレビ受信機に関する。
【背景技術】
【０００２】
通常、テレビ放送信号やビデオ信号等には水平同期信号直後のバックポーチにカラーバースト信号が挿入されており、テレビ受信機ではこのカラーバースト信号の有無をカラーキラー回路などで検出し、カラー放送か白黒放送かを判別することになる。カラーキラー回路とは、カラーバースト信号が検出されない場合に、色出力を０にし、画面に色ノイズが発生するのを防ぐ回路である。
【０００３】
しかし、電波状況が悪くて電界強度が弱い（弱電界）場合はＳ／Ｎ比が低下するため、カラーバースト信号が挿入されているはずのテレビ放送信号であってもカラーバースト信号が検出されず、白黒表示になってしまうことがあった。テレビ受信機には、このような電波状況の問題が常に存在しており、様々な対応が行われている。
【０００４】
例えば、電界強度に応じてカラーキラー動作を制御する技術として、強電界入力時にはカラーバースト信号の有無に応じてカラーキラーをオン／オフする一方、弱電界入力時にはカラーキラーを常にオフにする技術や（例えば、特許文献１等）、弱電界と強電界とで色復調回路における色信号の増幅回路を選択する技術（例えば、特許文献２等）、色副搬送波周波数の異なる２種類のテレビ放送信号受信できるテレビ受信機においてカラーバースト検出に使用される色副搬送波周波数の切換周期を弱電入力時と強電入力時とで選択可能にする技術（例えば、特許文献３等）、カラーキラーのオン／オフ切換に遅延を持たせて受信状態の悪い弱電界でもカラー表示を行えるようにする技術（例えば、特許文献４等）、等が知られている。
【特許文献１】特開平６−１０５３２７号公報
【特許文献２】特開２００５−１１７６４４号公報
【特許文献３】特開平５−１９１８２１号公報
【特許文献４】特開２０００−２７０３４２号公報
【発明の開示】
【発明が解決しようとする課題】
【０００５】
しかし、前述した特許文献１や特許文献４記載の技術は、弱電入力等の所定の条件が揃ったときに自動的にカラーキラーをオフにする技術であって、弱電入力時にカラーバースト信号の有無を実際に検出するものではなかった。すなわち、仮に、白黒放送が弱電入力されてもカラー表示されるなどの誤作動の可能性がある。また、特許文献２や特許文献３の技術は、Ｓ／Ｎ比の低下によるカラーバースト信号の検出効率の低下に対応するものではなかった。
【０００６】
本発明は、上記課題に鑑みてなされたもので、弱電入力時におけるカラーバースト信号の検出効率を向上させ、弱電入力時であっても実際にカラーバースト信号の存在を確認した上でカラー表示させることが可能なテレビ受信機の提供を目的とする。
【課題を解決するための手段】
【０００７】
上記課題を解決するために、本発明のテレビ受信機は、入力された映像信号におけるカラーバースト信号の有無を検出し、カラーバースト信号が検出された場合は入力された映像信号がカラー映像信号であると判定する一方、カラーバースト信号が検出されない場合は入力された映像信号を白黒映像信号であると判定するテレビ受信機において、入力された映像信号の信号強度が所定のしきい値を超えると通常電界と判断すると共に、所定のしきい値以下であると弱電界と判定する電界強度判定手段と、前記電界強度判定手段が通常電界と判断すると水平同期信号の後半部分からパルスを開始してカラーバースト信号の標準位置を包含するパルス幅となる第一バーストゲートパルスを発生すると共に、前記電界強度判定手段が弱電界と判断すると前記標準位置を包含しつつ前記第一バーストゲートパルスよりも幅狭となる第二バーストゲートパルスを発生し、前記第一バーストゲートパルス若しくは前記第二バーストゲートパルスの範囲内にカラーバースト信号が検出されたか否かを判定するバーストゲート手段と、を備える構成とする。
【０００８】
前記構成において、電界強度判定手段が判定する電界の強弱は、１つにはテレビ放送信号の受信においては放送信号を受信してテレビ受信機に放送信号を供給するアンテナの設置場所における放送電波の電界強度であるが、入力される映像信号源としてＶＨＳ等の記録媒体を除外するものではない。すなわち、電界強度判定手段は、実際には同期信号とノイズのＳ／Ｎ比によって電界の強弱を判定しており、記録媒体を入力される映像信号源とする場合は、アンテナで受信された映像信号を入力されているものと仮定した場合の電界強度を判定することになる。よって、記録媒体を入力される映像信号源とする場合、電界強度判定手段は、常に通常電界と判定することになる。
【０００９】
また、前記信号強度は、例えば、映像信号に挿入される同期信号（水平同期信号又は垂直同期信号）の信号強度で判断される。また、所定のしきい値としては、例えば、同期信号とノイズのＳ／Ｎ比で表される。
【００１０】
前記構成であれば、テレビ受信機に入力される映像信号の信号強度が低下しても、電界強度判定手段が信号強度の判定を行い、バーストゲート手段が発生するバーストゲートパルスの開始位置と幅とを変更させるため、従来と比べて、弱電界におけるカラーバースト信号の検出効率を向上できる。
【００１１】
また、本発明の他の態様として、本テレビ受信機の電源投入直後においては、前記バーストゲート手段は、前記電界強度判定手段にて通常電界と判定されたものとしてバーストゲートパルスを発生してカラーバースト信号の検出を行うように構成すると好適である。すなわち、一般にテレビ受信機の使用される環境として通常電界の地域の方が多い現状を鑑みて、テレビ受信機起動直後のデフォルト設定を通常電界の設定とすることで、起動時間を短縮し、より広範なユーザの利便性を確保できる。
【００１２】
また、本発明の他の態様として、前記第一バーストゲートパルスの設定値が記憶される第一レジスタと、前記第二バーストゲートパルスの設定値が記憶される第二レジスタと、を備えており、前記バーストゲート手段は、前記第一レジスタと前記第二レジスタとの何れか一方から設定値を取得してバーストゲートパルスを発生するように構成すると好適である。
【００１３】
すなわち、バーストゲートパルスの設定値が記憶されたレジスタを２種類用意しておき、電界強度に応じて何れのレジスタから設定値を読み出すかを切り換えて選択することになる。よって、各機体の特性に合わせた設定値を作成してレジスタに値を設定すれば、カラーバーストを検出するプログラムの変更を行うことなく、最適なバーストゲートパルスを発生可能になる。つまり、本発明を、僅かな設計変更で、複数種類の機体に適用可能となる。
【００１４】
また、本発明の他の態様として、前記電界強度判定手段が弱電界と判断したときに発生されるバーストゲートパルスは、水平同期信号の開始からＢＧＰ終了までの時間が７．５５９〜８．５００マイクロ秒であるとともに、水平同期信号の開始からＢＧＰ開始までの時間が４．５００〜４．５９６マイクロ秒であるように構成すると好適である。
【００１５】
また、本発明の他の態様として、中間周波信号の自動利得調整を行うＡＧＣ回路を備え、前記電界強度判定手段が、前記ＡＧＣ回路の出力するＩＦ−ＡＧＣ電圧に基づいて電界強度を判定するように構成すると好適である。
【００１６】
通常、ＡＧＣ回路はいずれのテレビ受信機にも搭載されており、映像信号強度に対応する電圧を出力しており、中間周波信号の利得調整やチューナの高周波増幅の利得調整などに利用されている。この従来あるＡＧＣ回路の出力する電圧を利用すれば、容易かつ安価に本発明を実現可能となる。本発明では、チューナの利得調整は中間周波信号の利得調整の補助的な役割であるため、主たる利得調整に用いられるＩＦ−ＡＧＣ電圧を利用する構成としたが、無論、ＲＦ−ＡＧＣ電圧を利用することを除外するわけではない。
【００１７】
また、本発明の他の態様として、前記映像信号が入力されるマイコンを備え、前記マイコンが、バーストゲートパルスを発生し、バーストゲートパルス内にカラーバースト信号が検出されるか否かを判定するように構成すると好適である。すなわちマイコンのプログラムでカラーバーストの有無を判定するため複雑な回路構成が不要であり、回路基板のスペースを必要としない。従って、本発明を実施するに当たり、コストアップを抑えることができる。
【００１８】
また、本発明のより具体的な一態様として、アンテナを介して入力された映像信号から所定のチャンネルに対応する搬送周波数を選局して中間周波信号に変換して出力するチューナと、ＩＦ−ＡＧＣ電圧に対応する増幅率で中間周波信号を必要な大きさに増幅して出力する中間周波増幅回路と、前記中間周波増幅回路の出力する中間周波信号から復号映像信号を取り出して出力する映像検波回路と、前記映像検波回路から複合映像信号を取得して該復号映像信号の同期信号の大きさに応じたＩＦ−ＡＧＣ電圧を生成するＡＧＣ回路と、前記映像検波回路の出力した複合映像信号をさらに増幅するとともにＹ／Ｃ分離を行って輝度信号と搬送色信号を出力し且つ同期分離を行ってと同期信号を出力する映像信号処理回路と、カラーバースト信号の入力があれば該カラーバースト信号の周波数を利用して前記搬送色信号を色差信号に復調して出力する色復調回路と、前記輝度信号と前記色差信号とに基づいてマトリクス変換処理を行なって画像データとしてのＲＧＢ信号を生成するマトリクス回路と、前記ＲＧＢ信号に基づいて液晶モジュールを駆動して画像を表示させる液晶ドライバ回路と、前記チューナと前記中間周波増幅回路と前記映像検波回路と前記ＡＧＣ回路と前記映像信号処理回路と前記色復調回路と前記マトリクス回路と前記液晶ドライバ回路とを制御するマイコンとを備えたテレビ受信機において、水平同期信号の後半部分から開始してカラーバースト信号の標準位置を包含するパルス幅のバーストゲートパルスの設定値が記憶された第一レジスタと、前記第一レジスタに記憶された設定値のパルス幅よりも狭く、水平同期信号の開始からＢＧＰ終了までの時間が７．５５９〜８．５００マイクロ秒であるとともに、水平同期信号の開始からＢＧＰ開始までの時間が４．５００〜４．５９６マイクロ秒であるバーストゲートパルスの設定値が記憶された第二レジスタと、を備え、前記マイコンは、前記映像検波回路から復号映像信号が入力されると共に前記ＡＧＣ回路からＩＦ−ＡＧＣ電圧が入力され且つ、色副搬送波の周波数を発振しており、前記ＩＦ−ＡＧＣ電圧に基づいて、アンテナに入力されている放送電波の電界強度を判定し、前記電界強度が所定のしきい値より電圧が高い場合は通常電界と判定して前記第一レジスタから通常電界強度に対応するバーストゲートパルスの設定値を取得する一方、前記電界強度が所定のしきい値よりも電圧が低い場合は弱電界と判定して前記第二レジスタから弱電界強度に対応するバーストゲートパルスの設定値を取得し、取得した設定値に基づいてバーストゲートパルスを発生し、映像検波出力のバーストゲートパルスの範囲内に収まる部位に対し、前記色副搬送波の周波数と同期する周波信号を所定周期以上連続して含むか否かの同期検波を行い、バーストゲートパルスの範囲内にカラーバースト信号が存在するか否かの判定を行い、同期検波された場合は前記色復調回路に検出されたカラーバースト信号を出力する一方、同期検波されない場合は色復調回路にカラーバースト信号の出力を行わない構成としてある。
【発明の効果】
【００１９】
以上説明したように本発明によれば、弱電界におけるカラーバースト信号の検出効率を向上したテレビ受信機を提供することができる。
また請求項２にかかる発明によれば、広範なユーザの利便性を確保できる。
そして請求項３にかかる発明によれば、本発明を、僅かな設計変更で、複数種類の機体に適用可能となる。
さらに請求項４にかかる発明によれば、弱電界におけるカラーバースト信号の検出効率をより向上できる。
また請求項５にかかる発明によれば、容易かつ安価に本発明を実現可能となる。
そして請求項６にかかる発明によれば、コストアップを抑えることができる。
さらに請求項７のような、より具体的な構成において、上述した請求項１〜請求項６の各発明と同様の作用を奏することはいうまでもない。
【発明を実施するための最良の形態】
【００２０】
以下、下記の順序に従って本発明の実施形態を説明する。
（１）テレビ受信機の構成：
（２）カラーバースト信号の検出：
（３）電界強度に応じたバーストゲートパルス切換処理：
（４）まとめ：
【００２１】
（１）テレビ受信機の構成： 
以下、図１〜図３を参照しつつ、本発明のテレビ受信機について説明する。図１は、本発明の実施形態におけるテレビジョンの構成を示すブロック図である。本実施形態では表示器として液晶パネルを供えた液晶テレビを例にとって説明を行うが、むろん、ブラウン管テレビやプラズマテレビであってもよいし、チューナを備えさえすれば自機内には表示器を備えなくともよく、例えば、ＨＤＤレコーダやＤＶＤレコーダ等の録画／再生機器などであっても本発明を適用可能である。なお、同図においては図の簡略化のため映像信号の処理系統のみを示してある。
【００２２】
図１において、テレビ受像機１００は、チューナ１０と中間周波増幅回路１１と映像検波回路１２と映像信号処理回路１３と液晶ドライバ回路１４と液晶モジュール１５とＡＧＣ回路１６とマイコン１７とから構成されている。テレビ受像機１００にはアンテナ端子を介してアンテナ１０ａが接続されており、アンテナ１０ａで受信したテレビ電波がチューナ１０に入力される。
【００２３】
チューナ１０は、例えば、ＰＬＬシンセサイザ方式の選局方式が採用可能であり、固定分周器や可変分周器の分周比を選択することによって受信可能な周波数を制御することができる。この周波数制御はマイコン１７の制御に従って行われる。マイコン１７の制御に従ってチューナ１０はチャンネルに対応する搬送周波数を選局し、受信した周波信号を高周波増幅するとともにヘテロダイン検波によって中間周波信号に変換する。この高周波増幅においては、後述のＡＧＣ回路１６の出力するＲＦ−ＡＧＣ電圧に対応して増幅率が決定される。
【００２４】
中間周波増幅回路１１は、中間周波信号を必要な大きさに増幅する。この中間周波増幅においては、後述のＡＧＣ回路１６から出力されるＩＦ−ＡＧＣ電圧に対応して増幅率が決定される。
【００２５】
映像検波回路１２は、変調された信号（搬送波信号＋被搬送波信号）から被搬送波信号を取り出す。すなわち、中間周波信号から復号映像信号（輝度信号＋搬送波抑圧直角二相変調された搬送色信号＋同期信号）を取り出す。
【００２６】
ＡＧＣ回路１６は映像検波回路１２から出力された複合映像信号（映像検波出力）を取得し、映像検波出力の同期信号の大きさに応じたＲＦ−ＡＧＣ電圧およびＩＦ−ＡＧＣ電圧を生成する。一般に、放送電波の電界強度が強い（強電入力）場合はＩＦ−ＡＧＣ電圧は高くなり、放送電波の電界強度が弱い（弱電入力）場合はＩＦ−ＡＧＣ電圧は低くなる。このＡＧＣ回路１６には、同期信号の大きさに比例したＡＧＣ電圧を出力するもの（例えば先頭値形ＡＧＣと呼ばれる回路）、電波がある程度大きくなった時点から電圧を発生させるもの（例えば、キード形ＡＧＣと呼ばれる回路）、等がある。無論、電圧の強弱を反転させれば、電波の強弱に対して負の相関を持つＩＦ−ＡＧＣ電圧も可能である。
【００２７】
ＲＦ−ＡＧＣ電圧はチューナ１０に入力され、チューナ１０はＲＦ−ＡＧＣ電圧が高いほど増幅率を低下させる自動利得調整を行う。同様にＩＦ−ＡＧＣ電圧は中間周波増幅回路１１に入力され、中間周波増幅回路１１もＩＦ−ＡＧＣ電圧が高いほど増幅率を低下させる自動利得調整が行われる。このチューナ１０と中間周波増幅回路１１で行われる増幅により、映像信号処理回路１３に入力される映像信号強度は、同期信号の大きさで規格化された理想的な値に調整されることになる。ちなみに、これらチューナ１０や中間周波増幅回路１１はフォワード型で記載してあるが、無論、リバース型であっても本発明は実現可能である。
【００２８】
映像信号処理回路１３では、複合映像信号をさらに増幅し、Ｙ／Ｃ分離回路１３ａにてＹ／Ｃ分離を行って輝度信号（Ｙ）をマトリクス回路１３ｃに、搬送色信号（Ｃ）を色復調回路１３ｂにそれぞれ出力し、さらに同期分離によって得られる同期信号をマイコン１７に出力する。
【００２９】
分離された搬送色信号は、色復調回路１３ｂにおいてＲ‐Ｙ及びＢ‐Ｙの色差信号に復調された後、マトリクス回路１３ｃに出力される。マトリクス回路１３ｃにおいては、入力された輝度信号と色差信号とに基づいてマトリクス変換処理を行い、画像データとしてのＲＧＢ信号を生成する。なお、色復調回路１３ｂは、マイコン１７からカラーバースト信号の入力があればこのカラーバースト信号の周波数（色副搬送波周波数）を利用して色差信号を復調する。すなわちカラーバースト信号の出力があればカラー映像信号との判定、カラーバースト信号の出力が無ければ白黒映像信号と判定される。
【００３０】
液晶ドライバ回路１４は、画素数変換回路と、画質調整回路と、出力処理回路と、フレームメモリとを有している。画素数変換回路は、マトリクス回路１３ｃから入力されたＲＧＢ信号に対してスケーリング処理を行って、液晶パネル１５ａに表示される１画面分のＲＧＢ信号を生成する。そして、１画面分のＲＧＢ信号を画素情報としてフレームメモリに格納する。画質調整回路は、画素数変換回路によってフレームメモリに格納されたＲＧＢ信号に対して、ブライトネス、コントラスト、黒バランスおよび白バランスの調整を行う。出力処理回路は、画質調整回路によって画質調整が施されたＲＧＢ信号に対して、ガンマ補正、ディザ処理等を行うとともに、背景信号、ＯＳＤ信号、ブランキング信号等を付加して液晶パネル１５ａに出力し、画像を表示させる。
【００３１】
液晶モジュール１５は、液晶パネル１５ａと、液晶パネル１５ａを背面から照射するバックライト１５ｂと、入力された電源電圧から生成した所定の電圧をバックライト１５ｂに供給して点灯させるインバータ１５ｃとからなる。バックライト１５ｂが放電灯で構成される場合は、インバータ１５ｃは入力された電源電圧を交流電圧に変換した上でバックライト１５ｂに供給することになる。
【００３２】
マイコン１７はＣＰＵ１７ａとＲＡＭ１７ｂとＲＯＭ１７ｃと第一レジスタ１７ｄ（第一記憶媒体）と第二レジスタ１７ｅ（第二記憶媒体）とから構成される。マイコン１７は、テレビ受信機１００の各部と電気的に接続されており、各部を有機的に制御することによりテレビ受信機として動作させている。
【００３３】
ＣＰＵ１７ａは、ＲＯＭ１７ｃからプログラムデータを読み出してＲＡＭ１７ｂ上に展開することにより、ＢＧＰ制御プログラムＰを実行する。ＢＧＰ制御プログラムＰは、複数のモジュール（電界強度判定部Ｍ１、カラーバースト検出部Ｍ２、色副搬送波周波数発振部Ｍ３）によって構成される。これらのモジュールＭ１〜Ｍ３が実行されることにより本発明の各手段が具体的に実現される。以下、各モジュールについて説明する。
【００３４】
電界強度判定部Ｍ１は、ＡＧＣ回路１６の出力するＩＦ−ＡＧＣ電圧に基づいて、アンテナ１０ａに入力されている放送電波の電界強度を判定する。マイコン１７にはＡＧＣ回路１６からＩＦ−ＡＧＣ電圧が入力されており、電界強度判定部Ｍ１はＩＦ−ＡＧＣ電圧を取得して所定のしきい値でＩＦ−ＡＧＣ電圧の大小を判定する。この判定の結果、所定のしきい値より電圧が高い場合は強電入力（通常電界）と判定し、所定のしきい値よりも電圧が低い場合は弱電入力と判定する。但し、ビデオ入力等の外部入力も所定のしきい値より高いＩＦ−ＡＧＣ電圧となり、通常電界と判断されることになる。この判定結果はカラーバースト検出部Ｍ２に通知される。
【００３５】
色副搬送波周波数発振部Ｍ３は、色副搬送波の周波数ｆｓｃ（＝3.579545MHz）を発振し、この周波数ｆｓｃをカラーバースト検出部Ｍ２に供給する。
【００３６】
カラーバースト検出部Ｍ２は、映像信号（例えば映像検波出力等）のカラーバースト信号の検出を行う。まず、カラーバースト検出部Ｍ２は、バーストゲートパルス（以下、ＢＧＰと略す。）を発生し、映像検波回路１２から映像検波出力を取得し、色副搬送波周波数発振部から周波数ｆｓｃの入力を受ける。そして、映像検波出力のＢＧＰの範囲内に収まる部位に対し、周波数ｆｓｃと同期する周波信号を所定周期以上（例えば８周期以上）連続して含むか否かの同期検波を行い、ＢＧＰの範囲内にカラーバースト信号が存在するか否かを判定する。同期検波された場合はカラーバースト信号が存在すると判定し、カラー判定を色復調回路に出力する。一方、同期検波されない場合はカラーバースト信号が存在しないと判定して色復調回路に白黒判定を出力する。
【００３７】
カラーバースト検出部Ｍ２は、第一レジスタと第二レジスタから設定値を取得可能であり、電界強度判定部Ｍ１の通知に従って何れか一方の設定値を利用したＢＧＰの発生を行う。第一レジスタ及び第二レジスタには、工場出荷時に予め異なるＢＧＰの設定値が記憶されている。これらの設定値は、水平同期信号の始端（水平同期基準）からＢＧＰの始端までの時間と、ＢＧＰの始端から終端までの時間とを表すものである。
【００３８】
（２）カラーバースト信号の検出： 
次に、図２を参照して、カラーバースト信号及びその検出について説明する。図２は、バーストゲートパルスの説明図である。同図に示すように、ＢＧＰは、水平同期基準からＢＧＰ開始位置までの時間を表すＢＧＰ開始時間と、ＢＧＰ開始位置からＢＧＰ終了位置までの時間を表すＢＧＰ幅とで指定される。通常、カラーバースト位置がずれる可能性を考慮して、このＢＧＰ開始時間とＢＧＰ幅とは図２（ａ）のようにカラーバースト信号挿入位置の前後に所定のマージンを持つように設定されている。
【００３９】
カラーバースト信号が挿入される位置は、放送信号から抽出された映像信号で前後にずれることは無いが、ＶＨＳ等のテープ媒体から読み出された映像信号では前後にずれる可能性がある。これは、ＶＨＳ等のテープ媒体は記録媒体そのものが使用環境によって伸縮する可能性があり、伸縮に伴って入力される映像信号も伸縮する可能性があるためである。
【００４０】
これに対し、電波で送信される放送信号が伸縮することは無く、放送信号から抽出された映像信号は放送信号の基準で定められた位置にカラーバースト信号が挿入されている。このような事情から、通常、カラーバースト信号を検出するためのＢＧＰには、放送信号の基準で定められたカラーバースト挿入位置を含みつつ、その前後に所定のマージンを備えるものが使用される。
【００４１】
ところで、カラーバースト信号は、信号強度によってはノイズに埋もれて検出されにくくなることがある。例えば、一般にアンテナで受信したテレビ放送信号のＳ／Ｎ比は７０〜８０ｄＢであるが、電界強度が弱くなると、場合によっては２０ｄＢまで低下してしまう。Ｓ／Ｎ比が２４ｄＢ位まで低下すると、ノイズの影響でカラーバースト信号の検出が難しくなり、白黒表示になってしまうのが現状である。Ｓ／Ｎ比の低い映像信号でカラー表示を行っても綺麗な表示は望めないが、その一方で、カラー映像はカラー表示させたいとの要望もある。
【００４２】
以上のカラーバースト位置とカラーバースト信号の強度との関係をまとめると、強電入力時は、映像信号源として放送信号入力と外部入力（ＶＨＳ等）の双方が有り得るためカラーバースト位置の変動があるが、弱電入力時は放送信号入力しか有り得ないことになる。すなわち、強電入力時は、ＢＧＰ幅にマージンが必要だが、弱電入力時は、カラーバースト位置の変動は無いためＢＧＰ幅にマージンを無くす、もしくは少なくできることになる。
【００４３】
そこで本発明では、強電入力時（３０ｄＢを超えるとき）には図２（ａ）のように幅広のＢＧＰ（第一バーストゲートパルス）を使用する。すなわち、水平同期信号の後半部分からパルスを開始して放送信号の基準で定められたカラーバースト挿入位置（カラーバースト信号の標準位置）を包含しつつ、その前後にマージンが発生するような、ＢＧＰ開始時間とＢＧＰ幅とを採用する。より具体的には、例えば、ＢＧＰ開始時間を水平同期基準から３．７０３マイクロ秒とし、バーストゲート幅を４．７４０マイクロ秒とする。このように構成すると、ＶＨＳ等から読み出された映像信号のカラーバースト信号も検出可能なＢＧＰが発生する。
【００４４】
一方、弱電入力時（３０ｄＢ以下のとき）には図２（ｂ）のように幅狭のＢＧＰを使用する。すなわち、図２（ａ）のＢＧＰに比べてカラーバースト挿入位置に対するマージンの少ないＢＧＰ（第二バーストゲートパルス）を使用する。ＢＧＰ開始時間は、例えば、水平同期信号の終了位置付近から標準的なカラーバースト信号の挿入が開始される位置までとなるように決定される。ＢＧＰ幅は、例えば、少なくともカラーバースト信号の８周期目までがＢＧＰの範囲内に収まるように決定される。
【００４５】
すなわち、弱電入力時のＢＧＰ幅は、カラーバースト信号の周波数である色副搬送波周波数（3.579545MHz）の８〜１２周期分を含むことが目安となる。代表的な数値としては、ＢＧＰ開始時間が水平同期基準から４．４８０マイクロ秒、バーストゲート幅が３．９３０マイクロ秒となる。但し、水平同期基準からＢＧＰ終了までの時間が７．５５９〜８．５００マイクロ秒であり且つ、水平同期基準からＢＧＰ開始までの時間が４．５００〜４．５９６マイクロ秒であれば、本発明の効果を奏することが実験的に確かめられている。
【００４６】
以上のように設定すると、少なくとも８周期分のカラーバースト信号がＢＧＰの範囲内に収まるとともに、ＢＧＰ前後のマージンの減少に伴ってノイズ低減（Ｓ／Ｎ比の向上）が期待でき、カラーバースト信号に近い周期を持つノイズ成分がカラーバースト信号として誤検出される確率を低下できる。すなわち、色副搬送波周波数ｆｓｃに近い周波数を有するノイズ成分がカラーバースト信号の前後に発生したとしても、このノイズ成分はＢＧＰの範囲外となり、カラーバースト信号の同期検知において、カラーバースト信号と判定するために十分な周期分（例えば８周期分）のカラーバースト信号がＢＧＰ内に収まることになる。
【００４７】
（３）電界強度に応じたバーストゲートパルス切換処理： 
以下、図３を参照して電界強度に応じたバーストゲートパルス切換処理について説明する。図３は、電界強度に応じたバーストゲートパルス切換処理のフローチャートである。図３の処理は、テレビ受信機の電源が投入されている間は、常に実行されている。但し、本処理の実行をユーザの設定によって実行するか否かを切り換えてもよく、例えば、リモコンに「弱電界時のカラー表示」等の操作ボタンを設けて、本処理を行うか第一レジスタの設定値（通常電界時のＢＧＰ）のみを使用するかを切換可能にしても良い。
【００４８】
電源が投入されて処理が開始されると、ステップＳ１０で通常電界強度に対応するＢＧＰの設定値を取得する。すなわち、第一レジスタから、デフォルトの設定としてＢＧＰ開始時間とＢＧＰ幅とを示す設定値を取得する。この設定値は、図２（ａ）に対応したＢＧＰを発生するものであり、弱電入力にならない限りこのステップＳ１０で取得されたデフォルトの設定が使用され続ける。
【００４９】
続くステップＳ２０では、カラーバースト信号の検出処理を行う。すなわち、ステップＳ１０で取得した設定値に基づいてＢＧＰを発生し、このＢＧＰの範囲内に存在する映像検波出力からカラーバースト信号の検出を試みる。そして、カラーバースト信号が検出された場合は色復調回路に色信号の出力を指示し、カラーバースト信号が検出されない場合は色復調回路に色信号の出力を停止させる。
【００５０】
続くステップＳ３０では、電界強度（受信状況、電波状況）を示す情報としてＩＦ−ＡＧＣ電圧を取得する。
【００５１】
続くステップＳ４０では、電界強度を判断する。すなわち、ステップＳ３０で取得したＩＦ−ＡＧＣ電圧が所定のしきい値（例えばＳ／Ｎ比が３０ｄＢ）よりも高いか否かを判断する。所定のしきい値以下場合は弱電入力と判断（条件成立）してステップＳ５０に進み、一方、所定のしきい値を超える場合は強電入力（通常電界）と判断（条件不成立）してステップＳ２０からの処理を繰り返す。なお、この電界強度の判定においては、ＶＨＳやＤＶＤ等の記録媒体を映像ソースとする映像信号も強電入力（通常電界）と判断される。
【００５２】
続くステップＳ５０では、弱電入力に対応するＢＧＰの設定値を取得する。すなわち、第二レジスタから、ＢＧＰ開始時間とＢＧＰ幅とを示す設定値を取得する。この設定値は、図２（ｂ）に対応するＢＧＰを発生させるものである。
【００５３】
続くステップＳ６０では、ステップＳ５０で取得した設定値を使用してステップＳ２０と同様のカラーバースト信号の検出処理を行う。但し、ステップＳ２０で使用した設定値とはＢＧＰ開始時間とＢＧＰ幅が異なるため、仮に色副搬送波周波数ｆｓｃに近い周波数を有するノイズ成分がカラーバースト信号の前後に発生したとしても、このノイズ成分はＢＧＰの範囲外となる。従って、カラーバースト信号のＳ／Ｎ比が向上し、カラーバースト信号に近い周期を持つノイズ成分がカラーバースト信号として誤検出される可能性が減り、誤検出による白黒判定が低減される。
【００５４】
続くステップＳ７０では、ステップＳ３０と同じく、電界強度（受信状況、電波状況）を示す情報としてＩＦ−ＡＧＣ電圧を取得する。
【００５５】
続くステップＳ８０では、電界強度を判断する。すなわちステップＳ７０で取得したＩＦ−ＡＧＣ電圧が所定のしきい値より高いか否かを判断する。所定のしきい値よりも高い場合は通常電界と判断（条件成立）してステップＳ１０に戻り、通常電界強度に対応するカラーバースト検出処理（Ｓ２０〜Ｓ４０）を行う。一方、所定のしきい値よりも低い場合は弱電入力と判断（条件不成立）し、弱電入力に対応するカラーバースト検出処理（Ｓ６０〜Ｓ８０）を繰り返すことになる。
【００５６】
（４）まとめ： 
以上をまとめると、入力された映像信号の信号強度が所定のしきい値を超えると通常電界と判断すると共に、所定のしきい値以下であると弱電界と判定する電界強度判定部Ｍ１と、電界強度判定手段が通常電界と判断すると水平同期信号の後半部分からパルスを開始してカラーバースト信号の標準位置を包含するパルス幅となる第一バーストゲートパルスを発生すると共に、電界強度判定手段が弱電界と判断すると標準位置を包含しつつ第一バーストゲートパルスよりも幅狭となる第二バーストゲートパルスを発生し、第一バーストゲートパルス若しくは第二バーストゲートパルスの範囲内にカラーバースト信号が検出されたか否かを判定するバーストゲート手段と、を備えさせる。これにより、弱電入力時におけるカラーバースト信号の検出効率を向上させ、弱電入力時であっても実際にカラーバースト信号の存在を確認した上でカラー表示させることが可能になる。
【００５７】
ところで、ライン２１やライン２８４の水平同期信号の直後にクローズドキャプションが挿入された場合であっても、本発明の通常よりも幅狭のＢＧＰを利用したカラーバーストの取得にはなんら問題は生じなかった。すなわち、ＢＧＰを幅狭にしても、ライン２１やライン２８４でカラーバーストの直後に挿入されるクロック・ラン・インを正常に取得可能である。従って、ＣＣＤやＶ−Ｃｈｉｐのようなパレンタルコントロールが搭載されたテレビ受信機であっても本発明を適用可能であることを付記しておく。
【００５８】
なお、本発明は上記実施例に限られるものでないことは言うまでもない。当業者であれば言うまでもないことであるが、
・上記実施例の中で開示した相互に置換可能な部材および構成等を適宜その組み合わせを変更して適用すること
・上記実施例の中で開示されていないが、公知技術であって上記実施例の中で開示した部材および構成等と相互に置換可能な部材および構成等を適宜置換し、またその組み合わせを変更して適用すること
・上記実施例の中で開示されていないが、公知技術等に基づいて当業者が上記実施例の中で開示した部材および構成等の代用として想定し得る部材および構成等と適宜置換し、またその組み合わせを変更して適用すること
は本発明の一実施例として開示されるものである。
【図面の簡単な説明】
【００５９】
【図１】本発明の実施形態におけるテレビジョンの構成を示すブロック図である。
【図２】バーストゲートパルスの説明図である。
【図３】電界強度に応じたバーストゲートパルス切換処理のフローチャートである。
【符号の説明】
【００６０】
１０…チューナ、１０ａ…アンテナ、１１…中間周波増幅回路、１２…映像検波回路、１３…映像信号処理回路、１３ａ…Ｙ／Ｃ分離回路、１３ｂ…色復調回路、１３ｃ…マトリクス回路、１４…液晶ドライバ回路、１５…液晶モジュール、１５ａ…液晶パネル、１５ｂ…バックライト、１５ｃ…インバータ、１６…ＡＧＣ回路、１７…マイコン、１７ａ…ＣＰＵ、１７ｂ…ＲＡＭ、１７ｃ…ＲＯＭ、１７ｄ…第一レジスタ、１７ｅ…第二レジスタ、１００…テレビ受信機、Ｍ１…電界強度判定部、Ｍ２…カラーバースト検出部、Ｍ３…色副搬送波周波数発振部、Ｐ…ＢＧＰ制御プログラム
【図１】
2008294629.tif 000003
【図２】
2008294629.tif 000004
【図３】
2008294629.tif 000005